(57)【要約】【課題】  標識板の板面全体を均一に照明することができると共に、設置場所や記載内容等の変更により生じる標識板の板面の拡大縮小や変更に柔軟に対応して、ソーラパネルや照明ユニット等の位置や取付角度等を随時簡単に変更して、最適な状態で発電や照明等を行うことができるようにする。【解決手段】  ソーラ式避難誘導標識装置は、標識板１０と、標識板１０対して、上下方向位置、左右方向位置及び仰角のいずれか一つを調節して配置自在なソーラパネル３０と、標識板１０に対して、上下方向位置、左右方向位置及び伏角のいずれか一つを調節して配置自在な照明ユニット４０と、ソーラパネル３０からの給電を蓄電自在で、照明ユニット４０に給電して照明ユニット４０を駆動自在な駆動手段５０とを備える。【選択図】  図１
0003108455.tif 000002
【実用新案登録請求の範囲】
【請求項１】
表面に避難誘導表示を記載した標識板と、
前記標識板の避難誘導表示の視認を妨げない位置に配置され、前記標識板に対して、少なくとも、上下方向位置、左右方向位置及び仰角のいずれか一つを調節することにより、時間及び場所に応じて最も太陽光を受け易い位置及び姿勢に配置自在なソーラパネルと、
前記標識板の外周縁の近傍位置で、避難誘導表示の視認を妨げない位置に配置され、前記標識板に対して、少なくとも、上下方向位置、左右方向位置及び伏角のいずれか一つを調節することにより、前記標識板の表面の略全面にわたって最も均一な光を照射する位置に配置自在な照明ユニットと、
前記ソーラパネルからの給電を蓄電自在で、前記照明ユニットに給電して前記照明ユニットを駆動自在な駆動手段と
を備えることを特徴とするソーラ式避難誘導標識装置。
【請求項２】
前記ソーラパネルは、前記標識板に対して、上下方向位置、左右方向位置及び仰角を個別に調節することにより、時間及び場所に応じて最も太陽光を受け易い位置及び姿勢に配置自在であり、
前記照明ユニットは、前記標識板に対して、左右方向位置及び仰角を個別に調節することにより、前記標識板の表面の略全面にわたって最も均一な光を照射する位置に配置自在であることを特徴とする請求項１記載のソーラ式避難誘導標識装置。
【請求項３】
表面に避難誘導表示を記載した標識板と、
前記標識板の裏面に固着されたレール状の長尺材と、
前記長尺材に沿って移動自在となるよう前記長尺材に取付けられ、少なくとも前記長尺材に沿った位置を調節することにより、時間及び場所に応じて最も太陽光を受け易い位置及び姿勢に配置自在なソーラパネルと、
前記長尺材に沿って移動自在となるよう前記長尺材に取付けられ、少なくとも前記長尺材に沿った位置を調節することにより、前記標識板の表面の略全面にわたって均一な光を照射する位置に配置自在な照明ユニットと、
前記ソーラパネルからの給電を蓄電自在な二次電池と、前記二次電池から前記照明ユニットに給電して前記照明ユニットを発光駆動する制御回路とを有する駆動手段と
を備えることを特徴とするソーラ式避難誘導標識装置。
【請求項４】
表面に避難誘導表示を記載した標識板と、
前記標識板の裏面に左右方向に延びるよう、かつ、互いに平行に配置されると共に、各々は断面略チャンネル状とされてその外側面側に長手方向に延びるスライド溝を有する、複数の直線レール状の長尺材と、
前記標識板を設置場所に設置固定するための支柱と、
前記長尺材のスライド溝に装着され、前記長尺材のスライド溝に沿って左右方向に移動自在とされると共に、前記支柱を上下方向へ移動調節して所望位置で保持固定自在な第１の取付具と、
ソーラパネルと、
前記ソーラパネルを一端側に取付けたソーラパネル用の第１の支持体と、
前記長尺材のスライド溝に装着され、前記長尺材のスライド溝に沿って左右方向に移動自在とされると共に、前記第１の支持体を上下方向へ移動調節して所望位置で保持固定自在な第２の取付具と、
前記標識板の表面の略全面を照明自在な照明ユニットと、
前記照明ユニットを一端側に取付けた照明ユニット用の第２の支持体と、
前記第２の支持体の他端側に接続され、前記長尺材のスライド溝に装着されて前記長尺材のスライド溝に沿って左右方向に移動自在な第３の取付具と、
前記ソーラパネルからの給電を蓄電自在で、前記照明ユニットに給電して前記照明ユニットを駆動自在な駆動手段とを備え、
前記支柱に対して前記標識板を所望の高さ位置に配置し、その位置で、前記標識板の裏面の長尺材に装着した前記第１の取付具によって前記支柱を保持固定することにより、前記標識板を前記支柱に対して前記所望の高さ位置に固定すると共に、前記第１の取付具を前記長尺材のスライド溝に沿って左右方向に移動調節することにより、前記標識板を前記支柱に対して所望の左右方向位置に配置するようにし、
前記第１の支持体に取付けた前記ソーラパネルを前記標識板に対して所望の高さ位置に配置し、その位置で、前記標識板の裏面の長尺材に装着した前記第２の取付具によって前記第１の支持体を保持固定することにより、前記ソーラパネルを前記標識板に対して前記所望の高さ位置に固定すると共に、前記第２の取付具を前記長尺材のスライド溝に沿って左右方向に移動調節することにより、前記ソーラパネルを前記標識板に対して所望の左右方向位置に配置するようにし、
前記第２の支持体に取付けた前記照明ユニットを、前記標識板の裏面の長尺材に装着した前記第３の取付具によって支持すると共に、前記第３の取付具を前記長尺材のスライド溝に沿って左右方向に移動調節することにより、前記照明ユニットを前記標識板に対して所望の左右方向位置に配置するようにしたことを特徴とするソーラ式避難誘導標識装置。
【請求項５】
前記第１の取付具は、保持具及び締結具を含み、前記保持具は、前記支柱の外周面に対応する湾曲形状または屈曲形状の板状をなす保持部と、前記保持部の長さ方向両端部に一体形成され、前記長尺材の外側面に当接する平板状をなすと共にそれぞれ挿通孔を形成した一対の被締結部とを有し、前記締結具は、前記長尺材のスライド溝の内部に配置されると共に前記長尺材において前記スライド溝の両側で対向する一対の帯板状部の内側面に掛止される頭部と、前記頭部に一体形成されて前記長尺材のスライド溝の外部に突出する棒状の軸部と、前記軸部に着脱自在に装着されると共に前記頭部に向かって進退自在とされる押圧部とを有する締結具とを有し、前記第１の取付具は、一対の前記締結具の軸部を前記保持具の被締結部の挿通孔にそれぞれ挿通し、前記締結具の軸部にそれぞれ前記押圧部を装着して前記頭部に向かって接近させ、前記押圧部と前記長尺材の帯板状部との間で前記保持具の被締結部を挟持することにより、前記保持具の保持部により前記支柱を所定高さ位置に保持して固定する一方、前記締結具の押圧部を前記頭部から若干退避させることにより、前記頭部の前記長尺材の帯板状部への掛止状態を維持したまま、前記締結具及び保持具を介して、前記支柱を前記長尺材のスライド溝に沿って長さ方向に移動して位置調節自在であり、
前記第２の取付具は、保持具及び締結具を含み、前記保持具は、前記支柱の外周面に対応する湾曲形状または屈曲形状の板状をなす保持部と、前記保持部の長さ方向両端部に一体形成され、前記長尺材の外側面に当接する平板状をなすと共にそれぞれ挿通孔を形成した一対の被締結部とを有し、前記締結具は、前記長尺材のスライド溝の内部に配置されると共に前記長尺材において前記スライド溝の両側で対向する一対の帯板状部の内側面に掛止される頭部と、前記頭部に一体形成されて前記長尺材のスライド溝の外部に突出する棒状の軸部と、前記軸部に着脱自在に装着されると共に前記頭部に向かって進退自在とされる押圧部とを有する締結具とを有し、前記第２の取付具は、一対の前記締結具の軸部を前記保持具の被締結部の挿通孔にそれぞれ挿通し、前記締結具の軸部にそれぞれ前記押圧部を装着して前記頭部に向かって接近させ、前記押圧部と前記長尺材の帯板状部との間で前記保持具の被締結部を挟持することにより、前記保持具の保持部により前記第１の支持体を所定高さ位置に保持して固定する一方、前記締結具の押圧部を前記頭部から若干退避させることにより、前記頭部の前記長尺材の帯板状部への掛止状態を維持したまま、前記締結具及び保持具を介して、前記第１の支持体を前記長尺材のスライド溝に沿って長さ方向に移動して位置調節自在であることを特徴とする請求項４記載のソーラ式避難誘導標識装置。
【請求項６】
前記第３の取付具は、前記長尺材の内部断面形状と略同一の断面形状を有し、前記長尺材の内部に略密接状態で、かつ、前記長尺材の内部を長さ方向に摺動自在に挿着される挿着部と、前記挿着部に一体形成されて前記長尺材のスライド溝の外部に突出する棒状の軸部とを含み、前記挿着部を前記長尺材の長さ方向端縁から内部に挿着することにより、前記第２の支持体を前記長尺材のスライド溝に沿って長さ方向に移動して位置調節自在であることを特徴とする請求項４または５記載のソーラ式避難誘導標識装置。
【請求項７】
前記第３の取付具は、保持具及び締結具を含み、前記長尺材のスライド溝に装着され、前記長尺材のスライド溝に沿って左右方向に移動自在とされると共に、前記第２の支持体を上下方向へ移動調節して所望位置で保持固定自在であり、前記保持具は、前記第２の支持体の外周面に対応する湾曲形状または屈曲形状の板状をなす保持部と、前記保持部の長さ方向両端部に一体形成され、前記長尺材の外側面に当接する平板状をなすと共にそれぞれ挿通孔を形成した一対の被締結部とを有し、前記締結具は、前記長尺材のスライド溝の内部に配置されると共に前記長尺材において前記スライド溝の両側で対向する一対の帯板状部の内側面に掛止される頭部と、前記頭部に一体形成されて前記長尺材のスライド溝の外部に突出する棒状の軸部と、前記軸部に着脱自在に装着されると共に前記頭部に向かって進退自在とされる押圧部とを有する締結具とを有し、
前記第３の取付具は、一対の前記締結具の軸部を前記保持具の被締結部の挿通孔にそれぞれ挿通し、前記締結具の軸部にそれぞれ前記押圧部を装着して前記頭部に向かって接近させ、前記押圧部と前記長尺材の帯板状部との間で前記保持具の被締結部を挟持することにより、前記保持具の保持部により前記第２の支持体を所定高さ位置に保持して固定する一方、前記締結具の押圧部を前記頭部から若干退避させることにより、前記頭部の前記長尺材の帯板状部への掛止状態を維持したまま、前記締結具及び保持具を介して、前記第２の支持体を前記長尺材のスライド溝に沿って長さ方向に移動して位置調節自在であることを特徴とする請求項４または５記載のソーラ式避難誘導標識装置。
【請求項８】
更に、前記駆動手段を収納すると共に、前記標識板の裏面に取付けられる制御ボックスを備え、
前記制御ボックスは、前記標識板に対して、少なくとも、上下方向位置及び左右方向位置のいずれか一つを調節することにより、前記ソーラパネル及び前記照明ユニットに対して位置調節自在であることを特徴とする請求項１乃至７のいずれか１項記載のソーラ式避難誘導標識装置。
【請求項９】
更に、前記駆動手段を収納すると共に、前記標識板の裏面に取付けられる制御ボックスと、前記制御ボックスを前記標識板の裏面に固定した前記長尺材に取付ける締結具とを備え、
前記制御ボックスは、その幅方向両端に、前記長尺材の外側面に当接する平板状をなすと共にそれぞれ挿通孔を形成した一対の被締結部を有し、
前記締結具は、前記長尺材のスライド溝の内部に配置されると共に前記長尺材において前記スライド溝の両側で対向する一対の帯板状部の内側面に掛止される頭部と、前記頭部に一体形成されて前記長尺材のスライド溝の外部に突出する棒状の軸部と、前記軸部に着脱自在に装着されると共に前記頭部に向かって進退自在とされる押圧部とを有し、
一対の前記締結具の軸部を前記制御ボックスの被締結部の挿通孔にそれぞれ挿通し、前記締結具の軸部にそれぞれ前記押圧部を装着して前記頭部に向かって接近させ、前記押圧部と前記長尺材の帯板状部との間で前記制御ボックスの被締結部を挟持することにより、前記制御ボックスを前記標識板の裏面に保持して固定する一方、前記締結具の押圧部を前記頭部から若干退避させることにより、前記頭部の前記長尺材の帯板状部への掛止状態を維持したまま、前記締結具及び前記制御ボックスの被締結部を介して、前記制御ボックスを前記長尺材のスライド溝に沿って長さ方向に移動して位置調節自在としたことを特徴とする請求項１乃至８のいずれか１項記載のソーラ式避難誘導標識装置。
【請求項１０】
前記標識板は、その表面に前記避難誘導表示の文字または図形等を記載または描画等すると共に、その表面上に光拡散シートを貼着し、
前記照明ユニットからの照明を前記標識板の表面において前記光拡散シートにより均一に拡散して、前記標識板の表面の避難誘導表示の全体を均一に照明するようにしたことを特徴とする請求項１乃至９のいずれか１項記載のソーラ式避難誘導標識装置。
【請求項１１】
前記照明ユニットは、前記標識板の上端より上方位置に配置され、前記標識板の上端全体にわたって延びる長尺状をなす筐体を有し、前記筐体の内部に多数の発光ダイオード群をその長さ方向に所定間隔で配置すると共に、４個以上の砲弾型白色発光ダイオードを略一定間隔で密に配置して集合させることにより前記各発光ダイオード群を構成したことを特徴とする請求項３乃至１０のいずれか１項記載のソーラ式避難誘導標識装置。
【請求項１２】
前記照明ユニットは、更に、前記発光ダイオード群の発光側の全面にわたって、光を拡散しつつ透過する光拡散透過シートを配置したことを特徴とする請求項３乃至１１のいずれか１項記載のソーラ式避難誘導標識装置。
【請求項１３】
前記照明ユニットは、前記標識板の上端より上方位置に配置され、前記標識板の上端全体にわたって延びる長尺状をなす筐体を有し、前記筐体の長さ方向全体にわたって、その内部に多数の砲弾型白色発光ダイオードを略一定間隔で密に配置したことを特徴とする請求項３乃至１０のいずれか１項記載のソーラ式避難誘導標識装置。
【請求項１４】
同一の左右方向寸法の前記標識板を複数用意すると共に、同一長さの長尺状をなす前記照明ユニットを複数用意し、
複数の前記長尺材を前記各標識板の裏面の上下方向に所定間隔を置いて互いに平行に左右方向に延びるよう配置して固着し、
前記複数の長尺材の各々を、前記標識板の裏面に固着される帯板状の固着部と、前記固着部から略直交状態で突出する長尺状の一対の掛止片とから構成し、前記両掛止片の先端部を互いに対向するよう略９０度折り曲げてそれぞれ断面Ｌ字状とし、前記両掛止片の先端間に一定幅の前記スライド溝を形成すると共に、前記両掛止片の内部に前記スライド溝より大きい幅の断面矩形状をなすスライド凹部を形成し、
更に、前記長尺材のスライド凹部に長さ方向へのスライド自在に収容されると共に前記両掛止片に掛止される頭部と、前記スライド溝から前記長尺材の外部へと略直交状態で突出する軸部とを有するボルトと、前記ボルトの軸部に螺合するナットと、前記長尺材の両掛止片の外側面に略密接する断面チャンネル状の長尺状をなすと共に、前記長尺材のスライド溝に対向する部分にボルトの軸部を挿通自在な挿通孔を所定間隔で複数形成した連結材とを備え、
前記複数の標識板をそれぞれの裏面に固着された長尺材が同一高さ位置となるよう左右に並べて配置し、前記複数の標識板の裏面に固着された長尺材の連結部分に前記連結材を外側から嵌め込むと共に、前記連結材の挿通孔に前記ボルトの軸部を挿通し、前記ボルトに前記ナットを螺合して前記複数の標識板を左右方向に連結自在とし、
前記連結した複数の標識板の左右方向の合計寸法と略同一長さとなるよう、前記照明ユニットの数を選択して、それら複数の照明ユニットを前記連結した複数の標識板の上端側の全長にわたって延びるよう配置すると共に、前記複数の照明ユニットを、それぞれ、前記連結した複数の標識板の裏面の前記長尺材に取付けて、前記複数の照明ユニットにより前記連結した複数の標識板の全ての表面を均一に照明できるようにしたことを特徴とする請求項１１乃至１３のいずれか１項記載のソーラ式避難誘導標識装置。
【請求項１５】
更に、前記標識板の裏面の左右方向に所定間隔を置いて互いに平行に上下方向に延びるよう配置して固着される複数の第２の長尺材を備え、
前記複数の第２の長尺材の各々を、前記標識板の裏面に固着される帯板状の固着部と、前記固着部から略直交状態で突出する長尺状の一対の掛止片とから構成し、前記両掛止片の先端部を互いに対向するよう略９０度折り曲げてそれぞれ断面Ｌ字状とし、前記両掛止片の先端間に一定幅のスライド溝を形成すると共に、前記両掛止片の内部に前記スライド溝より大きい幅の断面矩形状をなすスライド凹部を形成し、
更に、前記第２の長尺材のスライド凹部に長さ方向へのスライド自在に収容されると共に前記両掛止片に掛止される頭部と、前記スライド溝から前記第２の長尺材の外部へと略直交状態で突出する軸部とを有する第２のボルトと、前記ボルトの軸部に螺合する第２のナットと、前記第２の長尺材の両掛止片の外側面に略密接する断面チャンネル状の長尺状をなすと共に、前記第２の長尺材のスライド溝に対向する部分に前記第２のボルトの軸部を挿通自在な挿通孔を所定間隔で複数形成した第２の連結材とを備え、
２枚の前記標識板をそれぞれの裏面に固着された長尺材が同一左右位置となるよう上下に並べて配置し、前記２枚の標識板の裏面に固着された第２の長尺材の連結部分に前記第２の連結材を外側から嵌め込むと共に、前記第２の連結材の挿通孔に前記第２のボルトの軸部を挿通し、前記第２のボルトに前記第２のナットを螺合して前記２枚の標識板を上下方向に連結自在としたことを特徴とする請求項１４記載のソーラ式避難誘導標識装置。
【考案の詳細な説明】
【技術分野】
【０００１】
本考案は、災害時に住民を避難場所へと誘導する避難誘導標識装置に関し、特に、ソーラパネル（太陽電池）を利用して蓄電し、夜間等において避難誘導標識板が見えにくい場合でも、避難誘導標識板を確実に外部照明して、常時、避難誘導標識板の目視による確認が可能となるソーラ式避難誘導標識装置に関するものである。
【背景技術】
【０００２】
従来の避難誘導標識または案内装置として、例えば、特許文献１及び特許文献２に記載の技術がある。
【特許文献１】特開平8−３１５２６１号公報
【特許文献２】特開平１１−２５９０２４号公報
【０００３】
特許文献１には、夜間、地震発生時に作動して確実に誘導効果を得ることができる避難誘導標識が開示されている。この避難誘導標識は、支柱上に設置される表示部を備えている。また、この避難誘導標識は、太陽電池と、太陽電池によって充電される蓄電池と、蓄電池を電源として点灯される表示部と、所定のガル値以上の振動を検知して信号を出力する振動センサと、振動センサの検知信号により地震振動を判別し地震信号を出力する地震判別回路と、日射量が低下する夜間に夜間信号を出力する昼夜判別回路と、地震判別回路よりの地震信号および昼夜判別回路よりの夜間信号によって前記表示部を点灯制御する点灯回路と、前記蓄電池の電圧により地震判別回路を初期状態に復帰させるリセット回路とを備えている。
【０００４】
特許文献２には、災害等で広範囲に停電が発生している状態の夜間でも、十分に明るい表示がなされ、しかも製造原価を低く押えることができる案内装置が開示されている。この案内装置は、避難場所の方向などが表現された案内板と、太陽電池と、該太陽電池出力で充電される二次電池と、該二次電池出力で駆動され前記案内板表面を照明する光源とを備えている。また、この案内装置は、前記案内板の光輝領域を蓄光剤を含む塗料で少なくとも３回塗装し、前記光源を、日暮れから所定時刻までは連続点灯すると共に、それ以後夜明けまでは間欠点灯する。更に、この案内装置は、案内板を視認するための窓を有する筐体で前記案内板を囲繞し、筐体の少なくとも一側面を利用してそこに太陽電池を配置している。
【考案の開示】
【考案が解決しようとする課題】
【０００５】
しかし、特許文献１に記載の技術は、表示部の避難誘導用の案内文字、避難方向を示す矢印等の誘導表示の表示自体を、発光ダイオード等の光源により構成している。よって、表示部の構成が複雑かつ高価になり、一般的な避難誘導標識で使用される単なる板状の標識板に適用することは困難である。一方、特許文献２に記載の技術は、避難場所の方向等を記載した案内板の表面を、蓄光剤を含む塗料により少なくとも３回塗装し、夜間これを所定時刻まで連続点灯で照明し、その後間欠照明するようにすることで、人通りの多い夜半までは案内板が一段と明るく光輝して人々に避難場所の存在を印象づける一方、それ以後は視認性を十分に維持しつつ消費電力を節約するようにしている。よって、特許文献２に記載の技術は、そのために複雑な制御回路を必要とする。
【０００６】
そこで、本考案は、一般的な避難誘導標識で使用される板状の標識板に適用でき、複雑な制御回路等の構成を必要とせずに、夜間等には標識板の板面全体を均一に照明することができると共に、設置場所や記載内容等の変更により生じる標識板の板面の拡大縮小や変更に柔軟に対応して、ソーラパネルや照明ユニット等の位置や取付角度等を随時簡単に変更して、最適な状態で発電や照明等を行うことができるようにしたソーラ式避難誘導標識装置の提供を課題とする。
【課題を解決するための手段】
【０００７】
本考案の一態様によれば、ソーラ式避難誘導標識装置は、表面に避難誘導表示を記載した標識板と、前記標識板の避難誘導表示の視認を妨げない位置に配置され、前記標識板に対して、少なくとも、上下方向位置、左右方向位置及び仰角のいずれか一つを調節することにより、時間及び場所に応じて最も太陽光を受け易い位置及び姿勢に配置自在なソーラパネルと、前記標識板の外周縁の近傍位置で、避難誘導表示の視認を妨げない位置に配置され、前記標識板に対して、少なくとも、上下方向位置、左右方向位置及び伏角のいずれか一つを調節することにより、前記標識板の表面の略全面にわたって最も均一な光を照射する位置に配置自在な照明ユニットと、前記ソーラパネルからの給電を蓄電自在で、前記照明ユニットに給電して前記照明ユニットを駆動自在な駆動手段とを備える。
【０００８】
本考案の別の態様によれば、ソーラ式避難誘導標識装置は、表面に避難誘導表示を記載した標識板と、前記標識板の裏面に固着されたレール状の長尺材と、前記長尺材に沿って移動自在となるよう前記長尺材に取付けられ、少なくとも前記長尺材に沿った位置を調節することにより、時間及び場所に応じて最も太陽光を受け易い位置及び姿勢に配置自在なソーラパネルと、前記長尺材に沿って移動自在となるよう前記長尺材に取付けられ、少なくとも前記長尺材に沿った位置を調節することにより、前記標識板の表面の略全面にわたって均一な光を照射する位置に配置自在な照明ユニットと、前記ソーラパネルからの給電を蓄電自在な二次電池と、前記二次電池から前記照明ユニットに給電して前記照明ユニットを発光駆動する制御回路とを有する駆動手段とを備える。
【０００９】
本考案の更に別の態様によれば、ソーラ式避難誘導標識装置は、表面に避難誘導表示を記載した標識板と、前記標識板の裏面に左右方向に延びるよう、かつ、互いに平行に配置されると共に、各々は断面略チャンネル状とされてその外側面側に長手方向に延びるスライド溝を有する、複数の直線レール状の長尺材と、前記標識板を設置場所に設置固定するための支柱と、前記長尺材のスライド溝に装着され、前記長尺材のスライド溝に沿って左右方向に移動自在とされると共に、前記支柱を上下方向へ移動調節して所望位置で保持固定自在な第１の取付具と、ソーラパネルと、前記ソーラパネルを一端側に取付けたソーラパネル用の第１の支持体と、前記長尺材のスライド溝に装着され、前記長尺材のスライド溝に沿って左右方向に移動自在とされると共に、前記第１の支持体を上下方向へ移動調節して所望位置で保持固定自在な第２の取付具と、前記標識板の表面の略全面を照明自在な照明ユニットと、前記照明ユニットを一端側に取付けた照明ユニット用の第２の支持体と、前記第２の支持体の他端側に接続され、前記長尺材のスライド溝に装着されて前記長尺材のスライド溝に沿って左右方向に移動自在な第３の取付具と、前記ソーラパネルからの給電を蓄電自在で、前記照明ユニットに給電して前記照明ユニットを駆動自在な駆動手段とを備え、前記支柱に対して前記標識板を所望の高さ位置に配置し、その位置で、前記標識板の裏面の長尺材に装着した前記第１の取付具によって前記支柱を保持固定することにより、前記標識板を前記支柱に対して前記所望の高さ位置に固定すると共に、前記第１の取付具を前記長尺材のスライド溝に沿って左右方向に移動調節することにより、前記標識板を前記支柱に対して所望の左右方向位置に配置するようにし、前記第１の支持体に取付けた前記ソーラパネルを前記標識板に対して所望の高さ位置に配置し、その位置で、前記標識板の裏面の長尺材に装着した前記第２の取付具によって前記第１の支持体を保持固定することにより、前記ソーラパネルを前記標識板に対して前記所望の高さ位置に固定すると共に、前記第２の取付具を前記長尺材のスライド溝に沿って左右方向に移動調節することにより、前記ソーラパネルを前記標識板に対して所望の左右方向位置に配置するようにし、前記第２の支持体に取付けた前記照明ユニットを、前記標識板の裏面の長尺材に装着した前記第３の取付具によって支持すると共に、前記第３の取付具を前記長尺材のスライド溝に沿って左右方向に移動調節することにより、前記照明ユニットを前記標識板に対して所望の左右方向位置に配置するようにした。
【考案の効果】
【００１０】
本考案に係るソーラ式避難誘導標識装置によれば、一般的な避難誘導標識で使用される板状の標識板に適用でき、複雑な制御回路等の構成を必要とせずに、夜間等には標識板の板面全体を均一に照明することができると共に、設置場所や記載内容等の変更により生じる標識板の板面の拡大縮小や変更に柔軟に対応して、ソーラパネルや照明ユニット等の位置や取付角度等を随時簡単に変更して、最適な状態で発電や照明等を行うことができる。
【考案を実施するための最良の形態】
【００１１】
以下、本考案を実施するための最良の形態（以下、「実施の形態」という。）を説明する。なお、各実施の形態を通じ、同一の部材、要素または部分には同一の符号を付して、その説明を省略する。
【００１２】
実施の形態１
【００１３】
図１は本考案の実施の形態１に係るソーラ式避難誘導標識装置の設置状態を示す正面図である。図２は本考案の実施の形態１に係るソーラ式避難誘導標識装置の設置状態を示す側面図である。図３は本考案の実施の形態１に係るソーラ式避難誘導標識装置の設置状態を示す背面図である。
【００１４】
実施の形態１に係るソーラ式避難誘導標識装置は、標識板１０と、長尺材２０と、ソーラパネル３０と、照明ユニット４０と、駆動手段５０とを備える。詳細には、図１〜図３に示すように、標識板１０は、アルミ板等の金属製の薄板材から構成することができ、表面に避難誘導表示としての絵記号や文字等を印刷等により記載または描画等したものである。なお、標識板１０の表面の色は、昼間に目立つ色である黄色等の色とすることができ、一方、避難誘導表示の色は、その反対色である緑色等の色とすることができる。また、標識板１０の裏面には複数の長尺材２０が固着されている。長尺材２０は、アルミ材料等の金属製の断面略チャンネル状の直線レール状をなし、標識板１０の裏面に固着されて標識板１０の全体の剛性を維持する。また、長尺材２０は、ソーラパネル３０や照明ユニット４０の取付並びにそれらの左右方向への移動案内及び位置調節ために使用される。ソーラパネル３０は、標識板１０の避難誘導表示の視認を妨げない位置（例えば、標識板１０の上方、下方、側方等）に配置されるようになっている。また、ソーラパネル３０は、」標識板１０に対して、少なくとも、上下方向位置、左右方向位置及び仰角（水平面から上方（太陽に向かう方向）への受光面の角度）のいずれか一つを調節することにより、時間及び場所に応じて最も太陽光を受け易い位置及び姿勢に配置自在である。実施の形態１では、ソーラパネル３０は、標識板１０に対して、上下方向位置、左右方向位置及び仰角を個別に調節することにより、時間及び場所に応じて最も太陽光を受け易い位置及び姿勢に配置自在である。更に、照明ユニット４０は、標識板１０の外周縁の近傍位置（好ましくは、外周縁より外側の位置）で、避難誘導表示の視認を妨げない位置に配置されている。また、照明ユニット４０は、標識板１０に対して、少なくとも、上下方向位置、左右方向位置及び伏角（水平面から下方（標識板１０に向かう方向）への発光面の角度）のいずれか一つを調節することにより、標識板１０の表面の略全面にわたって最も均一な光を照射する位置に配置自在である。実施の形態１では、照明ユニット４０は、標識板１０に対して、左右方向位置及び仰角を個別に調節することにより、標識板１０の表面の略全面にわたって最も均一な光を照射する位置に配置自在である。なお、前記駆動手段５０は、ソーラパネル３０からの給電を蓄電自在で、夜間等の照明必要時に照明ユニット４０に給電して照明ユニット４０を発光駆動自在である。
【００１５】
図４は本考案の実施の形態１に係るソーラ式避難誘導標識装置の設置状態における標識板への支柱及び第１の支持体の取付構造を拡大して示す説明図である。図５は本考案の実施の形態１に係るソーラ式避難誘導標識装置の設置状態における標識板への支柱または第１の支持体の取付構造を拡大して示す断面図である。
【００１６】
実施の形態１に係るソーラ式避難誘導標識装置は、更に、支柱６０、第１の支持体７０、第２の支持体８０、支柱６０を標識板１０に取付けるための第１の取付具及び第１の支持体７０を標識板１０に取付けるための第２の取付具を兼用する取付具９０、第１の支持体７０の上端とソーラパネル３０との間を連結する連結具９５〜９８、並びに、第２の支持体８０を標識板１０に取付けるための第３の取付具（図示略）を備えている。支柱６０は、標識板１０を避難誘導標識の設置場所に設置固定するためのものであり、上下方向に垂直に延びる円柱状をなしている。実施の形態１では、２本の支柱６０により標識板１０の左右を支持し、これにより、ソーラ式避難誘導標識装置全体を支柱６０を介して設置場所に設置するようになっている。また、第１の支持体７０は、ソーラパネル３０の下端中央を一端（上端）側に固着等して取付けた直線棒状乃至円柱状をなし、ソーラパネル３０の支持用のものである。更に、第１の支持体７０の上端は、図２に示すように、また、第２の支持体８０は、照明ユニット４０を一端側に取付けた屈曲棒状または可撓棒状をなし、照明ユニット４０の支持用のものである。
【００１７】
ここで、長尺材２０は、標識板１０の裏面に左右方向（水平方向）に延びるよう、かつ、互いに平行に配置されると共に、各々は断面略チャンネル状とされてその外側面側に長手方向に延びるスライド溝２３を有する。具体的には、複数の長尺材２０を１枚の標識板１０の裏面の上下方向に所定間隔を置いて互いに平行に左右方向に延びるよう配置して固着している。例えば、図１〜３に示すように、長尺材２０は、標識板１０の上端、上下中央及び下端の上下３列に設けられる。なお、長尺材２０は、標識板１０の上下方向に１列、２列または４列以上設けることも可能である。各長尺材２０は、図５に示すように、標識板１０の裏面に固着される帯板状の固着部２１と、前記固着部２１から略直交状態で突出する長尺状の一対の掛止片２２とからなる。両掛止片２２は、先端部を互いに対向するよう略９０度折り曲げてそれぞれ断面Ｌ字状となっている。これにより、両掛止片２２の先端間に一定幅のスライド溝２３が形成されると共に、両掛止片２２の内部にスライド溝２３より大きい幅の断面矩形状をなすスライド凹部２４が形成される。長尺材２０を標識板１０の裏面に固着するには、例えば、前記固着部２１の幅方向中央部を標識板１０の裏面にスポット溶接により溶接したり、固着部２１の裏面を標識板１０の裏面に金属接着剤を介して接着したりする。
【００１８】
一方、第１及び第２の取付具を兼用する前記取付具９０は、長尺材２０のスライド溝２３に装着され、長尺材２０のスライド溝２３に沿って左右方向に移動自在とされると共に、支柱６０または第１の支持体７０を上下方向へ移動調節して所望位置で保持固定自在である。具体的には、取付具９０は、図５に示すように、保持具９１と締結具９２，９３とを含む。保持具９１は、保持部９１ａ及び一対の被締結部９１ｂを有する。保持部９１ａは、支柱６０の外周面に対応する湾曲形状の可撓帯板状またはバンド状をなす。なお、支柱６０や第１の支持体７０は、円柱状以外にも、四角柱や六角柱や八角柱等の角柱状とすることも可能であり、この場合、保持部９１ａはこれに対応する断面（四角、六角、八角等）の屈曲板状に形成される。一対の被締結部９１ｂは、保持部９１ａの長さ方向両端部に一体形成され、長尺材２０の外側面に当接する平板状をなすと共に、それぞれ円形の挿通孔（図示略）を形成したものである。また、締結具９２，９３は、頭部９２ａ、軸部９２ｂを有するボルト９２と、前記ボルト９２の軸部９２ｂと螺合するナット９３からなる押圧部９３とより構成される。ボルト９２の頭部９２ａは、長尺材２０のスライド溝２３の内部、即ち、スライド凹部２４内に配置される。また、頭部９２ａは、長尺材２０においてスライド溝２３の両側で対向する（前記一対の掛止片２２の対向部分である）一対の帯板状部２２ａの内側面に掛止される。更に、軸部９２ｂは、頭部９２ａに一体形成されて、長尺材２０のスライド溝２３の外部に突出する棒状乃至円柱状をなす。また、押圧部としてのナット９３は、ボルト９２の軸部９２ｂに螺合により着脱自在に装着されると共に、ボルト９２の頭部９２ａに向かって螺入及び螺退して進退自在とされる。
【００１９】
そして、取付具９０は、一対の締結具のボルト９２の軸部９２ｂを、保持具９１の被締結部９１ｂの挿通孔にそれぞれ挿通し、締結具のボルト９２の軸部９２ｂにそれぞれ押圧部としてのナット９３を螺合して装着し、ボルト９２の頭部９２ａに向かって接近させ、ナット９３と長尺材２０の帯板状部２２ａとの間で保持具９１の被締結部９１ｂを挟持することにより、保持具９１の保持部９１ａにより支柱６０を所定高さ位置に保持して固定する。一方、取付具９０は、締結具のナット９３をボルト９２の頭部９２ａから若干退避させることにより、頭部９２ａの長尺材２０の帯板状部２２ａへの掛止状態を維持したまま、締結具９２，９３及び保持具９１を介して、支柱６０を長尺材２０のスライド溝２３に沿って長さ方向に移動して位置調節自在である。このように、実施の形態１では、支柱６０に対して標識板１０を所望の高さ位置に配置し、その位置で、標識板１０の裏面の長尺材２０に装着した第１の取付具としての取付具９０によって支柱６０を保持固定することにより、標識板１０を支柱６０に対して前記所望の高さ位置に固定すると共に、取付具９０を長尺材２０のスライド溝２３に沿って左右方向に移動調節することにより、標識板１０を支柱６０に対して所望の左右方向位置に配置するようにしている。
【００２０】
なお、前記取付具９０は、第１の支持体７０の第２の取付具としても兼用され、同様にして、第１の支持体７０を標識板１０に取付ける。これにより、ソーラパネル３０は、第１の支持体７０の中央部及び下端部に挿着した取付具９０により、長尺材２０に対して支持されると共に、長尺材２０のスライド溝２３に沿って左右方向に移動して位置調節自在となる。即ち、実施の形態１では、第１の支持体７０に取付けたソーラパネル３０を標識板１０に対して所望の高さ位置に配置し、その位置で、標識板１０の裏面の長尺材２０に装着した第２の取付具としての取付具９０によって第１の支持体７０を保持固定することにより、ソーラパネル３０を標識板１０に対して前記所望の高さ位置に固定すると共に、取付具９０を長尺材２０のスライド溝２３に沿って左右方向に移動調節することにより、ソーラパネル３０を標識板１０に対して所望の左右方向位置に配置するようにしている。
【００２１】
前記連結具は、可撓帯板状をなすバンド部９５と、バンド部９５に固着した板状の第１の連結片９６と、回動軸９８により第１の連結片９６に回動自在に取付られた板状の第２の連結片９７とを有している。そして、バンド部９５を第１の支持体７０の上端部に緊結して保持固定することにより、ソーラパネル３０が、連結具９５〜９８を介して上下方向に傾動自在となり、その仰角を調節自在となる。また、第１の支持体９５に対するバンド部９５の高さ位置を移動調節することにより、ソーラパネル３０の標識板１０に対する取付け高さ位置を調節自在となる。更に、ソーラパネル３０は、長尺材２０に沿って移動自在となるよう、前記第１の支持体７０を介して長尺材２０に取付けられている。そして、ソーラパネル３０は、少なくとも長尺材２０に沿った左右方向位置を調節することにより、時間及び場所に応じて最も太陽光を受け易い位置及び姿勢に配置自在である。
【００２２】
更に、第３の取付具は、第２の支持体８０の他端側（標識板１０の表面側の端）に接続され、長尺材２０のスライド溝２３に装着されて長尺材２０のスライド溝２３に沿って左右方向に移動自在である。第３の取付具は、例えば、長尺材２０のスライド凹部２４と略同一断面形状の矩形ブロック状をなし、スライド凹部２４内に摺動自在に挿着される。そして、かかる第３の取付具のスライド溝２３からの露出面（外側面の幅方向中央部）に、前記第２の支持体８０の一端を固着することにより、第２の支持体８０を介して、照明ユニット４０が長尺材２０に沿って移動自在となる。このように、実施の形態１では、第２の支持体８０に取付けた照明ユニット４０を、標識板１０の裏面の長尺材２０に装着した第３の取付具によって支持すると共に、第３の取付具を長尺材２０のスライド溝２３に沿って左右方向に移動調節することにより、照明ユニット４０を標識板１０に対して所望の左右方向位置に配置するようにしている。なお、第３の支持体８０は、蛇腹金属パイプ等、任意の位置で任意の方向に湾曲または屈曲自在な可撓棒状とすることにより、標識板１０に対する照明ユニット４０の高さ位置や俯角を調節自在とすることができる。
【００２３】
図６は本考案の実施の形態１に係るソーラ式避難誘導標識装置の設置状態における標識板への制御ボックスの取付態様を拡大して示す説明図である。
【００２４】
前記駆動手段は、ソーラパネル３０からの給電を蓄電自在な二次電池（図示略）と、二次電池から照明ユニット４０に給電して照明ユニット４０を発光駆動する制御回路（図示略）を実装した制御盤（図示略）と、これらを収納する制御ボックス５０とを有する。図６に示すように、制御ボックス５０は、標識板１０の裏面に取付けられる。即ち、制御ボックス５０は、長尺材２０に沿って移動自在なよう前記締結具９２，９３を介して長尺材２０に取付けられる。そして、制御ボックス５０は、標識板１０に対して、少なくとも、上下方向位置及び左右方向位置のいずれか一つ（実施の形態１では左右方向位置のみ）を調節することにより、ソーラパネル３０及び照明ユニット４０に対して位置調節自在である。詳細には、実施の形態１に係るソーラ式避難誘導標識装置は、制御ボックス５０を標識板１０の裏面に固定した長尺材２０に取付けるために、制御ボックス５０の上下両端側に一体形成した一対の被締結部５１と、被締結部５１を長尺材５２に対してスライド溝２３に沿って移動自在に取付ける締結具９２，９３とを備えている。即ち、制御ボックス５０は、その幅方向両端（実施の形態１では上下両端）に前記一対の被締結部５１を一体形成している。一対の被締結部５１は、長尺材２０の外側面に当接する平板状をなすと共に、それぞれ（前記連結具９０の保持具９１の被締結部９１ｂの挿通孔と同様の）円形の挿通孔（図示略）を形成している。
【００２５】
そして、一対の締結具のボルト９２の軸部９２ｂを制御ボックス５０の被締結部５１の挿通孔にそれぞれ挿通し、締結具のボルト９２の軸部９２ｂにそれぞれ押圧部としてのナット９３を装着してボルト９２の頭部９２ａに向かって接近させ、ナット９３と長尺材２０の帯板状部２２ａとの間で制御ボックス５０の被締結部５１を挟持することにより、制御ボックス５０を標識板１０の裏面に保持して固定する一方、締結具のナット９３をボルト９２の頭部９２ａから若干退避させることにより、頭部９２ａの長尺材２０の帯板状部２２ａへの掛止状態を維持したまま、締結具９２，９３及び制御ボックス５０の被締結部５１を介して、制御ボックス５０を長尺材２０のスライド溝２３に沿って長さ方向に移動して位置調節自在としている。
【００２６】
図７は本考案の実施の形態１に係るソーラ式避難誘導標識装置の設置状態における標識板の詳細構造を拡大して示す説明図である。
【００２７】
標識板１０は、その表面に避難誘導表示の文字または図形等を記載または描画等すると共に、その表面上に光拡散シート１１を貼着している。光拡散シート１１は、例えば、図７に示すように、固着層１１ａ、透明球１１ｂ、カバーフィルム１１ｃ及び接合部１１ｄより構成される。具体的には、固着層１１ａは、透明な素材によって、シート状に形成されている。また、透明球１１ｂは、略下半球に金属蒸着がなされている。そして、固着層１１ａ表面に、複数の透明球１１ｂのほぼ下半球が埋め込まれる一方、固着層１１ａには、前記透明球１１ｂが全く配設されない部分が設けられている。更に、固着層１１ａの表面側は、透明のカバーフィルム１１ｃで覆われている。そして、固着層１１ａの裏面から熱エンボスを行うことにより、固着層１１ａ表面の一部を隆起させ、且つこの隆起した部分を接合部１１ｄとして、その頂部とカバーフィルム１１ｃの裏面との接合を行っている。このように構成した光拡散シート１１は、照明ユニット４０からの照明を標識板１０の表面において均一に拡散して、標識板１０の表面の避難誘導表示の全体の照度の均一化を測ることができ、これにより、標識板１０の表面の避難誘導表示の全体を効率よく均一に照明することができる。
【００２８】
図８は本考案の実施の形態１に係るソーラ式避難誘導標識装置の設置状態における照明ユニットの詳細構造を拡大して示す説明図である。
【００２９】
照明ユニット４０は、標識板１０の上端より上方位置に配置され、標識板１０の上端全体にわたって延びると共に、下端側を開放した長尺箱状をなす筐体４１を有している。筐体４１の内部には、多数の発光ダイオード（ＬＥＤ）群４２が、筐体４１の長さ方向に所定間隔で配置されている。各ＬＥＤ群４２は、４個以上の砲弾型白色発光ダイオード（ＬＥＤ）４２ａを略一定間隔で密に配置して集合させることにより構成される。例えば、図８に示すように、４個のＬＥＤ４２ａにより一つのＬＥＤ群４２を構成し、筐体４１内に、ＬＥＤ群４２を一定間隔で合計２５群配置することにより、合計１００個のＬＥＤ４２ａを配置することができる。或いは、各ＬＥＤ群を５個のＬＥＤ４２ａにより構成し、筐体４１内に、ＬＥＤ群を一定間隔で合計１８群配置することにより、合計９０個のＬＥＤ４２ａを配置することができる。更に、照明ユニット４０は、ＬＥＤ群４２の発光側の全面にわたって、光を拡散しつつ透過する光拡散透過シート（図示略）を配置している。
【００３０】
実施の形態１の照明ユニット４０によれば、１０００ｃｍ×２０００ｃｍという大面積の標識板１０であっても、その表面の全面を均一に照明して、避難誘導表示を明瞭に視認可能とする。なお、このときの照明ユニット４０による標識板１０の表面の照度は、約１ｍ離れた位置で新聞を読める程度の照度となる。
【００３１】
実施の形態２
【００３２】
図９は本考案の実施の形態２に係るソーラ式避難誘導標識装置の設置状態における照明ユニットの詳細構造を斜視にて示すと共に、照明ユニットの標識板に対する取付構造を拡大して側面から示す説明図である。
【００３３】
実施の形態２に係るソーラ式避難誘導標識装置は、図９に示すように、長尺材１２０、照明ユニット１４０、第２の支持体１８０及び第３の取付具１８５の構成において、実施の形態１に係るソーラ式避難誘導標識装置と異なる。それ以外の構成は、実施の形態１に係るソーラ式避難誘導標識装置と同様である。即ち、長尺材１２０は、実施の形態１の長尺材２０のスライド溝２３の内部に、断面略Ｔ字状のスライド凹部１２４を形成する屈曲突部１２５を一体形成している。また、照明ユニット１４０は、実施の形態１の照明ユニット４０と同様、標識板１０の上端より上方位置に配置され、標識板１０の上端全体にわたって延びる長尺状をなす筐体４１を有する一方、筐体４０の長さ方向全体にわたって、その内部に多数の砲弾型白色ＬＥＤ４２ａを略一定間隔で密に配置している。即ち、実施の形態２では、所定個数のＬＥＤ４２ａによりＬＥＤ群を形成することなく、単に、多数のＬＥＤ４２ａを筺体４１の長さ方向全体にわたって均一な密度で配置している。更に、第２の支持体１７０は、略Ｌ字状乃至アングル状をなし、その一端に前記第３の取付具１８０を固着すると共に、その他端に傾動部１７１を介して照明ユニット１４０の筺体４１を傾動自在に固着している。また、第３の取付具１８５は、挿着部１８５ａ及び軸部１８５ｂを有する。挿着部１８５ａは、長尺材１２０の内部断面形状であるスライド凹部１２４の内面形状と略同一の断面形状（略Ｔ字状）のブロック状をなし、長尺材１２０のスライド凹部１２４の内部に略密接状態で、かつ、長尺材１２０のスライド凹部１２４の内部を長さ方向に摺動自在に挿着される。また、軸部１８５ｂは、挿着部１８５ａに一体形成されて長尺材１２０のスライド溝１２３の外部に突出する棒状をなし、その先端が第２の支持体１７０の一端に固着されている。なお、実施の形態２では、一定間隔で互いに平行となるよう離間配置した合計４本の第２の支持体１７０の一端を、４個の第３の取付具１８０に固着してそれぞれ長尺材１２０に装着する一方、４本の第２の支持体１７０の他端に照明ユニット１４０の筺体４１を固着して支持している。そして、挿着部１８５ａを長尺材１２０の長さ方向端縁からスライド凹部１２４内部に挿着することにより、第２の支持体１７０を長尺材１２０のスライド溝２３に沿って長さ方向に移動して位置調節自在である。これにより、照明ユニット１４０が、第２の支持体１７０及び第３の取付具１８０を介して、長尺材１２０の長さ方向である左右方向に位置調節自在となる。また、前記傾動部１７１は、回動軸１７２を介して、第２の支持体１７０の他端に対して回動自在に取付けられ、これにより、照明ユニット１４０が、傾動部１７１を介して、その俯角を調節自在となる。
【００３４】
ところで、第３の取付具は、実施の形態１の取付具９０と同様の構成としてもよい。即ち、第３の取付具を、保持具９１及び締結具９２,９３より構成し、長尺材１２０のスライド溝１２３に装着して、長尺材１２０のスライド溝１２３に沿って左右方向に移動自在とすると共に、第２の支持体１７０を上下方向へ移動調節して所望位置で保持固定自在とする。また、保持具９１を、第２の支持体１７０の外周面に対応する内面形状の保持部９１ａと、保持部９１ａの長さ方向両端部に一体形成され、長尺材１２０の外側面（帯板状部２２ａ）に当接する平板状をなすと共にそれぞれ円形の挿通孔を形成した一対の被締結部９１ｂとより構成する。なお、保持部は、第２の支持体１７０を断面矩形状とした場合、同様の断面矩形の内面形状となるよう屈曲板状とし、第２の支持体１７０を断面円形状とした場合、同様の断面矩形の内面形状となるよう湾曲板状とする。一方、締結具は、ボルト９２及びナット９３より構成し、ボルト９２の頭部ａを長尺材１２０のスライド溝１２３の内部のスライド凹部１２４に配置すると共に、長尺材１２０においてスライド溝１２３の両側で対向する一対の帯板状部２２ａの内側面に掛止する。また、ボルト９２の頭部９２ａに一体形成されて長尺材１２０のスライド溝１２３の外部に突出する棒状の軸部９２ｂに、押圧部としてのナット９３を着脱自在に装着すると共に、頭部９２ａに向かって進退自在とする。こうすると、第３の取付具は、一対の締結具のボルト９２の軸部９２ａを保持具９１の被締結部９１ｂの挿通孔にそれぞれ挿通し、締結具のボルト９２の軸部９２ｂにそれぞれ押圧部としてのナット９３を装着して頭部９２ａに向かって接近させ、なっと９３と長尺材１２０の帯板状部２２ａとの間で保持具９１の被締結部９１ｂを挟持することにより、保持具９１の保持部９１ａにより第２の支持体１７０を所定高さ位置に保持して固定する一方、締結具のナット９３をボルト９２の頭部９２ａから若干退避させることにより、頭部９２ａの長尺材１２０の帯板状部２２ａへの掛止状態を維持したまま、締結具９２，９３及び保持具９１を介して、第２の支持体１７０を長尺材１２０のスライド溝１２３に沿って長さ方向に移動して位置調節自在となる。
【００３５】
実施の形態３
【００３６】
図１０は本考案の実施の形態３に係るソーラ式避難誘導標識装置の簡易増設構造を背面から見て示す要部拡大斜視図である。図１１は本考案の実施の形態３に係るソーラ式避難誘導標識装置の簡易増設構造を示す断面図である。図１２は本考案の実施の形態３に係るソーラ式避難誘導標識装置の標識板と長尺材との関係を示す一部破断正面図である。図１３は本考案の実施の形態３に係るソーラ式避難誘導標識装置の増設方法を正面側から示す説明図である。
【００３７】
実施の形態３に係るソーラ式避難誘導標識装置は、同一の左右方向寸法の標識板１０を複数用意すると共に、同一長さの長尺状をなす照明ユニット４０を複数用意する。例えば、同一の左右方向寸法の標識板１０を２枚以上用意すると共に、標識板１０の左右方向寸法と略同一長さの長尺状をなす照明ユニット４０を標識板１０の枚数と同一個数である２個以上用意する。また、実施の形態３に係るソーラ式避難誘導標識装置は、図１２に示すように、複数の長尺材２２０を標識板１０の裏面の上下方向に所定間隔を置いて互いに平行に左右方向に延びるよう配置して固着する。更に、図１０及び図１１に示すように、複数の長尺材２２０の各々を、標識板１０の裏面に固着される帯板状の固着部２２１と、固着部２２１から略直交状態で突出する長尺状の一対の前記掛止片２２とから構成する。また、両掛止片２２の先端部を互いに対向するよう略９０度折り曲げてそれぞれ断面Ｌ字状とし、両掛止片２２の先端間に一定幅の前記スライド溝２３を形成すると共に、両掛止片２２の内部にスライド溝２３より大きい幅の断面矩形状をなす前記スライド凹部２４を形成する。実施の形態３に係るソーラ式避難誘導標識装置は、更に、前記ボルト９２及びナット９３からなる締結具を備えている。即ち、ボルト９２の頭部９２ａは、長尺材２２０のスライド凹部２４に長さ方向へのスライド自在に収容されると共に両掛止片２２に掛止される。また、ボルト９２の軸部９２ｂは、スライド溝２３から長尺材２２０の外部へと略直交状態で突出する。更に、ナット９３は、ボルト９２の軸部９２ｂに螺合する。また、実施の形態３に係るソーラ式避難誘導標識装置は、長尺材２２０の両掛止片２２の外側面に略密接する断面チャンネル状の長尺状をなすと共に、長尺材２２０のスライド溝２３に対向する部分にボルト９２の軸部９２ｂを挿通自在なスロット状（長孔状）の挿通孔２８１を所定間隔で複数形成した連結材２８０を備えている。
【００３８】
実施の形態３に係るソーラ式避難誘導標識装置は、図１３に示すように、複数の標識板１０をそれぞれの裏面に固着された長尺材２２０が同一高さ位置となるよう左右に並べて配置し、複数の標識板１０の裏面に固着された長尺材２２０の連結部分に前記連結材２８０を外側から嵌め込むと共に、連結材２８０の挿通孔２８１にボルト９２の軸部９２ｂを挿通し、ボルト９１にナット９３を螺合して前記複数の標識板１０を左右方向に連結自在としている。また、実施の形態３に係るソーラ式避難誘導標識装置は、前記連結した複数の標識板１０の左右方向の合計寸法と略同一長さとなるよう、照明ユニット４０の数を選択して、それら複数の照明ユニット４０を連結した複数の標識板１０の上端側の全長にわたって延びるよう配置すると共に、それら複数の照明ユニット４０を、それぞれ、第１の支持体７０及び第３の取付具を介して、前記連結した複数の標識板１０の裏面の長尺材２０に取付けて、前記複数の照明ユニット４０により前記連結した複数の標識板１０の全ての表面を均一に照明できるようにしている。ここで、標識板１０は、避難誘導表示等の表示内容のボリューム等により、必要とされる寸法（幅や高さ）が異なることがある。しかし、実施の形態３のように構成すると、同一寸法（幅及び高さ）の標識板１０を１種類または少ない種類だけ用意するだけで、必要とされる寸法となるよう、標識板１０を連結材２８０により連結して１枚の標識板とすることができ、必要とされる種々の寸法に容易に対応することができる。また、同一長さの照明ユニット４０を１種類または少ない種類だけ用意するだけで、連結した標識板１０の幅に対応した必要長さとなるよう、対応する数の照明ユニット４０を連続的に接続し、連結した標識板１０の上端側に配置して、その表面を均一に照明することができ、必要とされる種々の寸法に容易に対応することができる。
【００３９】
ところで、本考案に係るソーラ式避難誘導標識装置は、以下のような構成を追加することもできる。即ち、本考案に係るソーラ式避難誘導標識装置は、更に、前記標識板の裏面の左右方向に所定間隔を置いて互いに平行に上下方向に延びるよう配置して固着される複数の第２の長尺材を備えるよう構成することができる。この場合、前記複数の第２の長尺材の各々は、前記標識板の裏面に固着される帯板状の固着部と、前記固着部から略直交状態で突出する長尺状の一対の掛止片とから構成し、前記両掛止片の先端部を互いに対向するよう略９０度折り曲げてそれぞれ断面Ｌ字状とし、前記両掛止片の先端間に一定幅のスライド溝を形成すると共に、前記両掛止片の内部に前記スライド溝より大きい幅の断面矩形状をなすスライド凹部を形成する。この場合、本考案に係るソーラ式避難誘導標識装置は、更に、前記第２の長尺材のスライド凹部に長さ方向へのスライド自在に収容されると共に前記両掛止片に掛止される頭部と、前記スライド溝から前記第２の長尺材の外部へと略直交状態で突出する軸部とを有する第２のボルトと、前記ボルトの軸部に螺合する第２のナットと、前記第２の長尺材の両掛止片の外側面に略密接する断面チャンネル状の長尺状をなすと共に、前記第２の長尺材のスライド溝に対向する部分に前記第２のボルトの軸部を挿通自在な挿通孔を所定間隔で複数形成した第２の連結材とを備える。そして、本考案に係るソーラ式避難誘導標識装置は、２枚の前記標識板をそれぞれの裏面に固着された長尺材が同一左右位置となるよう上下に並べて配置し、前記２枚の標識板の裏面に固着された第２の長尺材の連結部分に前記第２の連結材を外側から嵌め込むと共に、前記第２の連結材の挿通孔に前記第２のボルトの軸部を挿通し、前記第２のボルトに前記第２のナットを螺合して前記２枚の標識板を上下方向に連結自在とする。こうすると、上下に並設した環境適応型公営選挙用ポスター掲示板のそれぞれの第２の長尺材を第２の連結材及び第２のボルトを介して連結することにより、複数枚の環境適応型公営選挙用ポスター掲示板を上下に並設して連結することができる。
【００４０】
本考案に係るソーラ式避難誘導標識装置は、夜間でも、照明ユニット４０を転倒することにより、標識板１０を明瞭に照明して、避難誘導時に、確実に、避難者の避難誘導を行うことができる。また、ソーラパネル３０により発電して蓄電するため、従来のような発電施設からの給電を利用した電源が不要となり、災害時に発電設備が停止して停電となった場合でも、確実に照明を行い、夜間でも安心して使用することができる。更に、ソーラパネル（太陽電池）により発電すると共に、二次電池に蓄電（充電）し、省電力かつ長寿命のＬＥＤを利用した証明ユニット４０により標識板１０を照明するため、太陽エネルギーという自然エネルギーを有効活用して、環境配慮型防災商品とすることができる。例えば、照明ユニットは、日照がない場合でも、ソーラパネルから充電した二次電池からの給電により、連続して５〜７日間の点灯が可能である。更に、本考案に係るソーラ式避難誘導標識装置は、多数のＬＥＤ４２ａを有する照明ユニット４０の俯角等を調節することで、標識板１０の表面の全面を均一に照明することができる。また、照明ユニット４０は、多数のＬＥＤ４２ａまたはＬＥＤ群４２を一定間隔で密に配置するため、標識板１０の表面の全面を一層均一に照明することができる。更に、標識板１０の表面に貼着等した光拡散シート１１や、照明ユニット４０の光拡散透過シートにより、照明ユニット４０のＬＥＤ４２ａ全体の光量をそれほど大きくしなくても、標識板１０の表面の全面を均一に照明することができる。一方、本考案に係るソーラ式避難誘導標識装置は、標識板１０裏面の長尺材２０により、支柱６０等への取付がきわめて簡単となり、どのような場所にでも設置可能となる。また、ソーラパネル３０は、長尺材２０に沿って左右方向の位置調節可能で、かつ、第２の取付具９０により高さ調節可能で、かつ、連結具９５〜９７により仰角を調節可能であるため、太陽の動き等に合わせて、最も太陽光を受けやすい位置に配置して、発電効率を常に最大化することができる。更に、本考案に係るソーラ式避難誘導標識装置は、連結材２８０により、標識板１０の寸法の変更に対応可能であり、また、その変更に対応するためには、照明ユニット４０の数を適宜選択するだけでよい。
【図面の簡単な説明】
【００４１】
【図１】図１は本考案の実施の形態１に係るソーラ式避難誘導標識装置の設置状態を示す正面図である。
【図２】図２は本考案の実施の形態１に係るソーラ式避難誘導標識装置の設置状態を示す側面図である。
【図３】図３は本考案の実施の形態１に係るソーラ式避難誘導標識装置の設置状態を示す背面図である。
【図４】図４は本考案の実施の形態１に係るソーラ式避難誘導標識装置の設置状態における標識板への支柱及び第１の支持体の取付構造を拡大して示す説明図である。
【図５】図５は本考案の実施の形態１に係るソーラ式避難誘導標識装置の設置状態における標識板への支柱または第１の支持体の取付構造を拡大して示す断面図である。
【図６】図６は本考案の実施の形態１に係るソーラ式避難誘導標識装置の設置状態における標識板への制御ボックスの取付態様を拡大して示す説明図である。
【図７】図７は本考案の実施の形態１に係るソーラ式避難誘導標識装置の設置状態における標識板の詳細構造を拡大して示す説明図である。
【図８】図８は本考案の実施の形態１に係るソーラ式避難誘導標識装置の設置状態における照明ユニットの詳細構造を拡大して示す説明図である。
【図９】図９は本考案の実施の形態２に係るソーラ式避難誘導標識装置の設置状態における照明ユニットの詳細構造を斜視にて示すと共に、照明ユニットの標識板に対する取付構造を拡大して側面から示す説明図である。
【図１０】図１０は本考案の実施の形態３に係るソーラ式避難誘導標識装置の簡易増設構造を背面から見て示す要部拡大斜視図である。
【図１１】図１１は本考案の実施の形態３に係るソーラ式避難誘導標識装置の簡易増設構造を示す断面図である。
【図１２】図１２は本考案の実施の形態３に係るソーラ式避難誘導標識装置の標識板と長尺材との関係を示す一部破断正面図である。
【図１３】図１３は本考案の実施の形態３に係るソーラ式避難誘導標識装置の増設方法を正面側から示す説明図である。
【符号の説明】
【００４２】
１０：標識板、１１：光拡散シート、２０：長尺材、２２：掛止片、２２ａ：帯板状部
２３：スライド溝、２４：スライド凹部、３０：ソーラパネル
４０：照明ユニット、４１：筺体、４２：ＬＥＤ群、４２ａ：ＬＥＤ
５０：制御ボックス（駆動手段）、５１：被締結部
６０：支柱、７０：第１の支持体、８０：第２の支持体
９０：取付具（第１及び第２の取付具）、９１：保持具、９１ａ：保持部、
９１ｂ：被締結部、９２：ボルト、９２ａ：頭部、９２ｂ：軸部
９３：ナット（押圧部）、１２０：長尺材、１２４：スライド凹部
１４０：照明ユニット、１７０：第２の支持体、１８５：第３の連結具
２２０：長尺材、２８０：連結材、２８１：挿通孔
【図１】
0003108455.tif 000003
【図２】
0003108455.tif 000004
【図３】
0003108455.tif 000005
【図４】
0003108455.tif 000006
【図５】
0003108455.tif 000007
【図６】
0003108455.tif 000008
【図７】
0003108455.tif 000009
【図８】
0003108455.tif 000010
【図９】
0003108455.tif 000011
【図１０】
0003108455.tif 000012
【図１１】
0003108455.tif 000013
【図１２】
0003108455.tif 000014
【図１３】
0003108455.tif 000015